(57)【特許請求の範囲】
【請求項１】
フレキシブルに対象に倣う形状の物体であって、
気体の吸引を行うことを可能にする吸出口と、
超音波プローブの先端を受容することを可能にする受容窓であって、膜によって閉じられた受容窓と、
穿刺針を通すことを可能にする穿刺孔と、
を具備することを特徴とする撮影補助器具。
【請求項２】
乳房に被せることが可能な椀状物体であって、
内部気体の吸引を行うことを可能にする吸出口と、
超音波プローブの先端を受容することを可能にする受容窓であって、膜によって閉じられた受容窓と、
穿刺針を通すことを可能にする穿刺孔と、
を具備することを特徴とする撮影補助器具。
【請求項３】
前記吸出口は前記椀状物体の頂部に位置する、
ことを特徴とする請求項２に記載の撮影補助器具。
【請求項４】
前記受容窓は前記椀状物体の縁に垂直な方向に延びる溝状の形状を有する、
ことを特徴とする請求項２または請求項３に記載の撮影補助器具。
【請求項５】
前記受容窓は前記椀状物体の縁に平行な方向に延びる溝状の形状を有する、
ことを特徴とする請求項２または請求項３に記載の撮影補助器具。
【請求項６】
前記受容窓は前記椀状物体の縁に垂直な方向に延びる溝状の形状および縁に平行な方向に延びる溝状の形状を有する、
ことを特徴とする請求項２または請求項３に記載の撮影補助器具。
【請求項７】
前記穿刺孔は前記椀状物体の縁に垂直な方向に沿って複数個存在する、
ことを特徴とする請求項２ないし請求項６のうちのいずれか１つに記載の撮影補助器具。
【請求項８】
前記穿刺孔は前記椀状物体の縁に平行な方向に沿って複数個存在する、
ことを特徴とする請求項２ないし請求項６のうちのいずれか１つに記載の撮影補助器具。
【請求項９】
前記穿刺孔は前記椀状物体の縁に垂直な方向および平行な方向に沿ってそれぞれ複数個存在する、
ことを特徴とする請求項２ないし請求項６のうちのいずれか１つに記載の撮影補助器具。
【請求項１０】
前記膜は超音波良伝達物質からなる、
ことを特徴とする請求項１〜９のうちのいずれか１つに記載の撮影補助器具。
【発明の詳細な説明】
【０００１】
【発明の属する技術分野】
本発明は、穿刺補助器具および撮影補助器具に関し、とくに、乳房に被せて使用する穿刺補助器具、および、超音波撮影時に乳房に被せて使用する撮影補助器具に関する。
【０００２】
【従来の技術】
穿刺針によって乳房の生検を行う場合、施術者はそれに並行して超音波撮影を行い、リアルタイム（ｒｅａｌ  ｔｉｍｅ）の断層像で患部の位置および穿刺針の進行状況を確認しながら作業を進める。
【０００３】
【発明が解決しようとする課題】
乳房は柔軟性に富み患部が容易に動いてしまうので、穿刺にあたっては患部が動かないように乳房を拘束する必要がある。乳房の拘束は施術者の手による狭持あるいは所定の器具による圧迫等によって行われるが、被検者にとって必ずしも快適なものではない。
【０００４】
そこで、本発明の課題は、被検者にとって不快感の少ない穿刺補助器具および撮影補助器具を実現することである。
【０００５】
【課題を解決するための手段】
（１）上記の課題を解決するためのひとつの観点での本発明は、フレキシブルに対象に倣う形状の物体であって、気体の吸引を行うことを可能にする吸出口と、穿刺針を通すことを可能にする穿刺孔と、を具備することを特徴とする穿刺補助器具である。
【０００６】
（１）に記載の穿刺補助器具は、物体を対象に被せて吸出口から内部空気を吸引し、対象を物体の内側に吸い付けて保持するものなので、被検者にとって不快感が少ない。この状態で穿刺孔から穿刺針で穿刺を行う。
【０００７】
（２）上記の課題を解決するための他の観点での本発明は、乳房に被せることが可能な椀状物体であって、内部気体の吸引を行うことを可能にする吸出口と、穿刺針を通すことを可能にする穿刺孔と、を具備することを特徴とする穿刺補助器具である。
【０００８】
（２）に記載の穿刺補助器具は、椀状物体を乳房に被せて吸出口から内部空気を吸引し、乳房を椀状物体の内側に吸い付けて保持するものなので、被検者にとって不快感が少ない。この状態で穿刺孔から穿刺針で穿刺を行う。
【０００９】
前記吸出口は前記椀状物体の頂部に位置することが、乳房の吸い付けを効果的に行う点で好ましい。
前記穿刺孔は前記椀状物体の縁に垂直な方向に沿って複数個存在することが、穿刺位置を椀状物体の縁に垂直な方向に沿って選択可能にする点で好ましい。
【００１０】
前記穿刺孔は前記椀状物体の縁に平行な方向に沿って複数個存在することが、穿刺位置を椀状物体の縁に平行な方向に沿って選択可能にする点で好ましい。
前記穿刺孔は前記椀状物体の縁に垂直な方向および平行な方向に沿ってそれぞれ複数個存在することが、穿刺位置を椀状物体の縁に垂直な方向および平行な方向に沿ってそれぞれ選択可能にする点で好ましい。
【００１１】
（３）上記の課題を解決するための他の観点での本発明は、フレキシブルに対象に倣う形状の物体であって、気体の吸引を行うことを可能にする吸出口と、超音波プローブの先端を受容することを可能にする受容窓と、穿刺針を通すことを可能にする穿刺孔と、を具備することを特徴とする撮影補助器具である。
【００１２】
（３）に記載の撮影補助器具は、物体を対象に被せて吸出口から内部空気を吸引し、対象を物体の内側に吸い付けて保持するものなので、被検者にとって不快感が少ない。この状態で、受容窓から超音波プローブで超音波撮影を行い、かつ穿刺孔から穿刺針で穿刺を行う。
【００１３】
（４）上記の課題を解決するための他の観点での本発明は、乳房に被せることが可能な椀状物体であって、内部気体の吸引を行うことを可能にする吸出口と、超音波プローブの先端を受容することを可能にする受容窓と、穿刺針を通すことを可能にする穿刺孔と、を具備することを特徴とする撮影補助器具である。
【００１４】
（４）に記載の撮影補助器具は、椀状物体を乳房に被せて吸出口から内部空気を吸引し、乳房を椀状物体の内側に吸い付けて保持するものなので、被検者にとって不快感が少ない。この状態で、受容窓から超音波プローブで超音波撮影を行い、かつ穿刺孔から穿刺針で穿刺を行う。
【００１５】
前記吸出口は前記椀状物体の頂部に位置することが、乳房の吸い付けを効果的に行う点で好ましい。
前記受容窓は前記椀状物体の縁に垂直な方向に延びる溝状の形状を有することが、超音波プローブの位置を椀状物体の縁に垂直な方向において調節可能にする点で好ましい。
【００１６】
前記受容窓は前記椀状物体の縁に平行な方向に延びる溝状の形状を有することが、超音波プローブの位置を椀状物体の縁に平行な方向において調節可能にする点で好ましい。
【００１７】
前記受容窓は前記椀状物体の縁に垂直な方向に延びる溝状の形状および縁に平行な方向に延びる溝状の形状を有することが、超音波プローブの位置を椀状物体の縁に垂直な方向および平行な方向において調節可能にする点で好ましい。、
前記穿刺孔は前記椀状物体の縁に垂直な方向に沿って複数個存在することが、穿刺位置を椀状物体の縁に垂直な方向に沿って選択可能にする点で好ましい。
【００１８】
前記穿刺孔は前記椀状物体の縁に平行な方向に沿って複数個存在することが、穿刺位置を椀状物体の縁に平行な方向に沿って選択可能にする点で好ましい。
前記穿刺孔は前記椀状物体の縁に垂直な方向および平行な方向に沿ってそれぞれ複数個存在することが、穿刺位置を椀状物体の縁に垂直な方向および平行な方向に沿ってそれぞれ選択可能にする点で好ましい。
【００１９】
【発明の実施の形態】
以下、図面を参照して本発明の実施の形態を詳細に説明する。なお、本発明は実施の形態に限定されるものではない。図１、図２、図３、図４および図５に撮影補助器具の正面図、背面図、平面図、Ａ−Ａ断面図および使用状態図をそれぞれ示す。本器具は本発明の実施の形態の一例である。本器具の構成によって、本発明の穿刺補助器具に関する実施の形態の一例が示される。また、本発明の撮影補助器具に関する実施の形態の一例が示される。
【００２０】
同図に示すように、本器具は椀状の乳房受け１００となっている。なお、乳房受け１００の形状は椀状に限るものではなく、フレキシブル（ｆｌｅｘｉｂｌｅ）に対象に倣うことが可能な形状のものであってよい。以下、椀状の乳房受けの例で説明するが、他の形状の場合も同様になる。
【００２１】
乳房受け１００は、図５に示すように被検者の乳房９００に被せることが可能な形状および寸法を有する。乳房受け１００は本発明における椀状物体の実施の形態の一例である。
【００２２】
乳房受け１００は、椀状構造の頂部に吸出口１１０を有する。吸出口１１０には、図５に示すように、使用時にホース（ｈｏｓｅ）１１２が接続され、ホース１１２の他端に接続された図示しない吸引機による吸引が行われる。なお、吸い出し口１１０は椀状構造の頂部に限らず適宜の位置の設けてよい。ただし、頂部に設けるのが最も効果的である。
【００２３】
吸出口１１０から吸引を行うことにより、乳房９００が吸引されて乳房受け１００の内面に吸い付けられ、その状態で保持される。吸出口１１０は、本発明における吸出口の実施の形態の一例である。
【００２４】
乳房受け１００は、椀状構造の縁に沿ってほぼ半周する溝状の水平窓１２２を有する。乳房受け１００は、また、椀状構造の頂部付近から縁に向かう溝状の垂直窓１２４を有する。垂直窓１２４は水平窓１２２と例えばその中央部において交わる。
【００２５】
水平窓１２２および垂直窓１２４は、図５に示すように、使用時に超音波プローブ（ｐｒｏｂｅ）７００の先端を挿入して乳房９００に接触させるための窓である。水平窓１２２および垂直窓１２４は、乳房受け１００の内側から、例えばシリコンゴム（ｓｉｌｉｃｏｎ  ｇｕｍ）等のような超音波良伝達物質からなる膜によって閉じられている。
【００２６】
同図では垂直窓１２４を使用して乳房９００の縦の断面９０２を撮影する例を示す。水平窓１２２を使用すれば横断面を撮影することができる。また、それらの窓に沿って超音波プローブ７００を位置を変えることにより撮影の方向を調節することができる。
【００２７】
水平窓１２２は本発明における受容窓の実施の形態の一例である。垂直窓１２４は本発明における受容窓の実施の形態の一例である。水平窓１２２および垂直窓１２４はいずれか一方のみとしてもよい。また、超音波撮影を必ずしも必要としない場合は、水平窓１２２および垂直窓１２４を省略しても良い。
【００２８】
乳房受け１００は、水平窓１２２の反対側に、縁に沿ってほぼ半周するように配列された複数の貫通孔１３２を有する。また、垂直窓１２４の反対側に頂部付近から縁に向かって配列された複数の貫通孔１３４を有する。貫通孔１３４の列は貫通孔１３２の列と例えばその中央部において交わる。
【００２９】
貫通孔１３２および１３４は、例えば図５に示すように、穿刺針５００を通すための孔である。穿刺針５００によって断面９０２に存在する関心領域９０４の生検を行うことができる。同図では垂直列の貫通孔１３４を使用して穿刺を行う例を示すが、水平窓１２２から横断面を撮影するときは、水平列の貫通孔１３２を使用して穿刺を行えばよい。貫通孔１３２は本発明における穿刺孔の実施の形態の一例である。貫通孔１３４は本発明における穿刺孔の実施の形態の一例である。貫通孔１３２および貫通孔１３４はいずれか一方のみとしてもよい。
【００３０】
吸出口１１０からの吸引により、乳房９００が乳房受け１００の内面に吸着されて拘束されるので、関心領域９０４の位置が安定し確実な生検を行うことができる。また、吸引による乳房の拘束なので、従来のように施術者の手あるいは圧迫器具による拘束に比べてはるかに被検者の不快感が少ない。
【００３１】
【発明の効果】
以上詳細に説明したように、本発明によれば、被検者にとって不快感の少ない穿刺補助器具および撮影補助器具を実現することができる。
【図面の簡単な説明】
【図１】本発明の実施の形態の一例の正面図である。
【図２】本発明の実施の形態の一例の背面図である。
【図３】本発明の実施の形態の一例の平面図である。
【図４】本発明の実施の形態の一例のＡ−Ａ断面図である。
【図５】本発明の実施の形態の一例の使用状態図である。
【符号の説明】
１００  乳房受け
１１０  吸出口
１２２  水平窓
１２４  垂直窓
１３２，１３４  貫通孔
５００  穿刺針
７００  超音波プローブ
９００  乳房
９０２  断面
９０４  関心領域
【図１】
0004652605.tif 000002
【図２】
0004652605.tif 000003
【図３】
0004652605.tif 000004
【図４】
0004652605.tif 000005
【図５】
0004652605.tif 000006